(57)【要約】【解決手段】脚部材１と受台パネル２とからなる床基礎部材Ｈを有する床構造において、配設された床基礎部材を構成する、隣接する受台パネルの接合部Ｆに、隣接する受台パネルの裏面から、隣接する受台パネルに跨がるように、ジョイント部材Ｊを固着したものである。【効果】脚部材と受台パネルとからなる床基礎部材を有する床構造において、配設された床基礎部材を構成する、隣接する受台パネルの接合部に、隣接する受台パネルの裏面から、隣接する受台パネルに跨がるように、ジョイント部材を固着したので、床構造の剛性を高めることができる。【選択図】図１
2012102578.tif 000002
【特許請求の範囲】
【請求項１】
脚部材と受台パネルとからなる床基礎部材を有する床構造において、並設された床基礎部材を構成する、隣接する受台パネルの接合部に、隣接する受台パネルの裏面から、隣接する受台パネルに跨がるように、ジョイント部材を固着したことを特徴とする床構造。
【発明の詳細な説明】
【技術分野】
【０００１】
本願発明は、コンクリート製のスラブ上に施工される床構造に関するものである。
【背景技術】
【０００２】
先ず最初に、図４〜図６を用いて、従来の発明について説明する。
【０００３】
１は、脚部材であり、脚部材１は、上端に、工具挿入用溝１ａ１が形成されている棒状のボルト１ａと、ボルト１ａの下端に取着された防振ゴム部１ｂと、ボルト１ａの上端部に螺合されるナット１ｃとから構成されている。ナット１ｃは、内周にネジ溝が刻設された円筒部１ｃ１と、円筒部１ｃ１の下端外周面に形成された鍔部１ｃ２とを有している。
【０００４】
また、ボルト１ａの上端部に螺合されたナット１ｃに、略平方形状の受台パネル２の４つの角部に穿設された縦孔２ａが嵌着されている。このようにして、脚部材１と受台パネル２とにより、床パネルやフローリング材等が載置される床基礎部材Ｈが構成されている。
【０００５】
床構造を施工する際には、床構造が施工されるスラブＳ上に、上述した床基礎部材Ｈを、隣り合う床基礎部材Ｈの受台パネル２同士が隣接するように配置する。次いで、公知のように、ボルト回動工具の先端部を、ボルト１ａの工具挿入用溝１ａ１に挿入するとともに、受台パネル２に、水準器を載置し、ボルト回動工具を、適宜、回動させることにより、受台パネル２の水平出しを行う。その後、公知のように、水平出しされた受台パネル２に、床パネル３やフローリング材等を、適宜、布設し、床構造が施工されることになる。
【０００６】
上述した従来の床構造は、一例として、特許文献１に開示されている。
【先行技術文献】
【特許文献】
【０００７】
【特許文献１】特開平９−１２５６６２３
【発明の概要】
【発明が解決しようとする課題】
【０００８】
上述した従来の床構造においては、床基礎部材Ｈを構成する隣接する受台パネル２同士が、互いに、連結されていないために、受台パネル２が、上下方向及び左右方向に移動することがある。従って、床構造の剛性が弱いという問題があった。
【０００９】
また、床構造の剛性を高めるために、床基礎部材Ｈを構成する脚部材１の防振ゴム部１ｂの硬度を、例えば、硬度６５°程度に硬くする必要があるが、このように、脚部材１の防振ゴム部１ｂの硬度を高くすると、床構造の遮音性が低下することになる。
【００１０】
本発明の目的は、上述した従来の床構造が有する課題を解決することにある。  
【課題を解決するための手段】
【００１１】
本発明は、上述した目的を達成するために、脚部材と受台パネルとからなる床基礎部材を有する床構造において、並設された床基礎部材を構成する、隣接する受台パネルの接合部に、隣接する受台パネルの裏面から、隣接する受台パネルに跨がるように、ジョイント部材を固着したものである。
【発明の効果】
【００１２】
脚部材と受台パネルとからなる床基礎部材を有する床構造において、並設された床基礎部材を構成する、隣接する受台パネルの接合部に、隣接する受台パネルの裏面から、隣接する受台パネルに跨がるように、ジョイント部材を固着したので、床構造の剛性を高めることができる。
【００１３】
また、脚部材と受台パネルとからなる床基礎部材を有する床構造において、並設床基礎部材を構成する、隣接する受台パネルの接合部に、隣接する受台パネルの裏面から、隣接する受台パネルに跨がるように、ジョイント部材を固着したので、床構造の剛性を高めることができるとともに、脚部材を構成する防振ゴム部の硬度を低く抑えることができ、従って、床構造の遮音性を高めることができる。
【図面の簡単な説明】
【００１４】
【図１】図１は、本発明の床構造を構成する、並設された床基礎部材の垂直断面図である。
【図２】図２は、本発明の床構造を構成する、並設された床基礎部材の平面図である。
【図３】図３は、本発明の床構造を構成する別の実施例の並設された床基礎部材の平面図である。
【図４】図４は、従来の床構造を構成する床基礎部材の斜視図である。
【図５】図５は、従来の床構造を構成する床基礎部材が並設された状態の垂直断面図である。
【図６】図６は、従来の床構造を構成する、並設された床基礎部材に、床パネルやフローリング材等が配設された状態の垂直断面図である。
【実施例】
【００１５】
以下に、図１〜図３を用いて、本発明の床構造について説明するが、本発明の趣旨を越えない限り、何ら、本実施例に何ら限定されるものではない。なお、上述した従来の発明の構成部材と同じ構成部材については、同じ符号が使用されている。
【００１６】
図１において、１は、上述した従来の脚部材と同様の脚部材である。即ち、脚部材１は、上端に、工具挿入用溝１ａ１が形成された棒状のボルト１ａと、ボルト１ａの下端に取着された防振ゴム部１ｂと、ボルト１ａの上端部に螺合されるナット１ｃとから構成されているとともに、ナット１ｃは、内周にネジ溝が刻設された円筒部１ｃ１と、円筒部１ｃ１の下端外周面に形成された鍔部１ｃ２とから構成されている。２は、上述した従来の受台パネルと同様の受台パネルであり、また、上述した従来と同様に、脚部材１と受台パネル２とにより、床基礎部材Ｈが構成されている。
【００１７】
本発明においても、上述したように、スラブＳ上に、床基礎部材Ｈを、隣り合う床基礎部材Ｈの受台パネル２同士が隣接するように、縦横に並設することになるが、本発明においては、スラブＳ上に、床基礎部材Ｈを配置した後に、隣接する受台パネル２の接合部Ｆに、隣接する受台パネル２の裏面から、隣接する受台パネル２に跨がるように、帯状のジョイント部材Ｊを、ビスＢ等の適当な固着具を用いて固着する。次いで、受台パネル２の縦孔２ａに、公知のように、ボルト回動工具の先端部を、ボルト１ａの工具挿入用溝１ａ１に挿入する。その後、受台パネル２に、水準器を載置するとともに、ボルト回動工具を、適宜、回動させることにより、受台パネル２の水平出しを行い、水平出しされた受台パネル２に、公知のように、床パネル３やフローリング材等を、適宜、布設し、床構造が施工されることになる。なお、受台パネル２の縦孔２ａは、少なくとも、受台パネル２の４つの角部に穿設されており、受台パネル２の各辺の中間部や、受台パネル２の中央部に、適宜、穿設することができる。
【００１８】
また、スラブＳ上に、床基礎部材Ｈを配置する前に、隣接する受台パネル２の接合部Ｆに、隣接する受台パネル２の裏面から、隣接する受台パネル２に跨がるように、ジョイント部材Ｊを、ビスＢ等の適当な固着具を用いて固着する。次いで、スラブＳ上に、受台パネル２が取り付けられた床基礎部材Ｈを配置し、その後、上述したように、受台パネル２に、水準器を載置するとともに、ボルト回動工具を、適宜、回動させることにより、受台パネル２の水平出しを行い、水平出しされた受台パネル２に、公知のように、床パネル３やフローリング材等を、適宜、布設し、床構造を施工することもできる。
【００１９】
上述したように、隣接する受台パネル２の接合部Ｆに、隣接する受台パネル２の裏面から、隣接する受台パネル２に跨がるように、ジョイント部材Ｊを固着することにより、床構造の剛性を高めることができる。
【００２０】
また、隣接する受台パネル２の接合部Ｆに、隣接する受台パネル２の裏面から、隣接する受台パネル２に跨がるように、ジョイント部材Ｊを固着することにより、床構造の剛性を高めることができるので、脚部材１を構成する防振ゴム部１ｂの硬度を低く抑えることができ、従って、床構造の遮音性を高めることができる。
【００２１】
図２には、隣接する受台パネル２の接合部Ｆの全長に亘たって、ジョイント部材Ｊが固着されている例が示されているが、接合部Ｆの一部に、ジョイント部材Ｊを固着することができる。
【００２２】
また、図３には、隣接する受台パネル２の接合部Ｆの交差部Ｃに、交差部Ｃを構成する４つの受台パネル２に跨がるように、略方形状のジョイント部材Ｊを固着することもできる。
【００２３】
なお、上述した、２枚の受台パネル２の接合部Ｆに、ジョイント部材Ｊを固着することに加え、４つの受台パネル２の交差部Ｃに跨がるように、略方形状のジョイント部材Ｊを固着することもできる。
【符号の説明】
【００２４】
Ｂ・・・・・・・・・・・・・・・固着具
Ｃ・・・・・・・・・・・・・・・交差部
Ｆ・・・・・・・・・・・・・・・接合部
Ｈ・・・・・・・・・・・・・・・床基礎部材
Ｊ・・・・・・・・・・・・・・・ジョイント部材
Ｓ・・・・・・・・・・・・・・・スラブ
１・・・・・・・・・・・・・・・脚部材
２・・・・・・・・・・・・・・・受台パネル
【図１】
2012102578.tif 000003
【図２】
2012102578.tif 000004
【図３】
2012102578.tif 000005
【図４】
2012102578.tif 000006
【図５】
2012102578.tif 000007
【図６】
2012102578.tif 000008